(57)【特許請求の範囲】
【請求項１】
第１のレールと、
第２のレールと、
第３のレールであって、前記第１のレールは該第３のレールと前記第２のレールとの間に可動に取り付けられる、第３のレールと、
前記第３のレールに配置される機能部材と、
前記第１のレールに可動に配置されるとともに、前記第１のレールが前記第３のレールに対して長手方向に移動する間に前記機能部材と相互作用するように構成される可動部材であって、該可動部材は前記第３のレールの方に弾性的に延びて前記第３のレールの近くにあるか又は前記機能部材と係合するように構成された係合区画を含む、可動部材と、
前記第１のレールに設けられる係合部と、
前記第１のレールと前記第２のレールとの間に可動に取り付けられる摺動支援装置と、
を含むスライドレールアセンブリであって、
前記第２のレールを前記第１のレールに対して伸長位置から第１の方向に沿って動かす過程の間に、前記摺動支援装置は前記第１のレールの係合部と係合するように構成されている、スライドレールアセンブリ。
【請求項２】
前記第２のレールが引っ込め位置から前記第１の方向に沿って動かされた場合、前記第２のレールは前記可動部材を介して前記第１のレールを駆動して前記第１の方向に沿って同期的に動かすように構成され、
前記機能部材のガイド構造は、前記第２のレールが前記引っ込め位置から前記第１の方向に沿って所定の距離動かされた場合に前記可動部材を動かして前記第１のレールが前記第２のレールと同期的に動かなくするように構成され、
前記第１のレールが前記第３のレールに対して前記第１の方向に沿って開位置に動かされた場合、前記第１のレールは、前記第１のレールを該開位置で保持するために前記可動部材の係合区画を介して前記機能部材の位置決め部と係合するように構成されている、請求項１に記載のスライドレールアセンブリ。
【請求項３】
前記可動部材は前記第３のレールの方に傾斜する可撓性アームを有し、前記係合区画は該可撓性アームに接続され、該可撓性アームは前記係合区画が前記機能部材と当接することにより撓むことができる、請求項１に記載のスライドレールアセンブリ。
【請求項４】
前記可動部材は前記第１のレールに枢結され、前記可動部材は前記第１のレールに当接する弾性脚を含む、請求項１に記載のスライドレールアセンブリ。
【請求項５】
前記摺動支援装置は本体、複数の摺動支援部材及び締結部材を含み、該複数の摺動支援部材は該本体に配置されるとともに、前記第１のレール及び前記第２のレールに回転接触するように構成され、該締結部材は該本体に可動に取り付けられ、
前記摺動支援装置は所定の状態にある前記締結部材を介して前記第１のレールの係合部と係合するように構成されている、請求項１に記載のスライドレールアセンブリ。
【請求項６】
前記締結部材を前記所定の状態で保持するために前記締結部材に弾性力を提供するように構成された弾性部位をさらに含み、
前記締結部材は前記摺動支援装置の本体に枢結され、
前記第２のレールが前記伸長位置から前記第１の方向に沿って動かされて前記第１のレールから取り外された後で、前記第２のレールを前記第１のレールに取り付けるために前記第１の方向と反対の第２の方向に沿って動かす過程の間に、前記第２のレールはガイド部を介して前記締結部材を駆動して前記第１のレールの係合部から外すように構成されている、請求項５に記載のスライドレールアセンブリ。
【請求項７】
前記第１のレールに可動に配置されるブロック部材と、該ブロック部材に弾性力を提供するように構成された弾性部材とをさらに含み、
前記第２のレールが引っ込め位置から前記伸長位置に前記第１の方向に沿って動かされた場合、前記第２のレールは前記ブロック部材によりブロックされる、請求項６に記載のスライドレールアセンブリ。
【請求項８】
前記第２のレールに可動に取り付けられる第１の作用部材及び第２の作用部材をさらに含み、
前記第２のレールが前記伸長位置に位置している場合、前記第２のレールは、前記第２のレールが前記第１の方向に沿って動くのを防止するために、第１の作用状態にある前記第１の作用部材を介して前記ブロック部材によりブロックされ、
前記第２のレールが前記伸長位置に位置している場合、前記第２のレールは、前記第２のレールが前記第１の方向と反対の第２の方向に沿って動くのを防止するために、第１の作用状態にある前記第２の作用部材を介して前記ブロック部材によりブロックされ、
前記第１の作用部材及び前記第２の作用部材は前記第２のレールに枢結される、請求項７に記載のスライドレールアセンブリ。
【請求項９】
前記第１の作用部材及び前記第２の作用部材を前記第１の作用状態で保持するために、前記第１の作用部材及び前記第２の作用部材にそれぞれ弾性力を提供するように構成された第１の弾性部及び第２の弾性部をさらに含み、
前記スライドレールアセンブリは前記第１の作用部材を前記第１の作用状態から第２の作用状態に切り替えるために操作されるように構成された第１の操作部材をさらに含み、前記スライドレールアセンブリは前記第２の作用部材を前記第１の作用状態から第２の作用状態に切り替えるために操作されるように構成された第２の操作部材をさらに含む、請求項８に記載のスライドレールアセンブリ。
【発明の詳細な説明】
【技術分野】
【０００１】
本発明はスライドレールアセンブリに関する。
【背景技術】
【０００２】
特許文献１にはスライドレールアセンブリが開示されている。スライドレールアセンブリは第１のレール（中間レール）、第２のレール（外側レール）、第３のレール（内側レール）、可動部材、弾性機構及び位置決め部を含む。第１のレールは第２のレールと第３のレールとの間に可動に取り付けられる。可動部材は第１のレールに枢結され、弾性機構は可動部材に弾性力を提供するように構成されている。さらに、特許文献１の図３に示すように、第１のレールが第３のレールと共に第２のレールに対して開方向に沿って開位置に動かされた場合、第１のレールは、弾性機構の弾性力に対応して可動部材を介して第２のレールの位置決め部と係合するように構成されている。
【先行技術文献】
【特許文献】
【０００３】
【特許文献１】米国特許第８３０３０５２号明細書
【発明の概要】
【発明が解決しようとする課題】
【０００４】
さらに、第１のレールの可動部材は追加の弾性機構の弾性力を通じて第２のレールの位置決め部と係合するように構成されている。そのような構成は所定の空間を占有し得る。しかしながら、現在の市場において、スライドレールアセンブリに取り付け可能なシャーシは大きくなっており、スライドレールの大きさが限られる。市場の要望を満たすためにスライドレールを薄く設計しなければならない。したがって、薄型化デザインをかなえるためにスライドレールの部品を再設計しなければならない。しかしながら、先行技術の可動部材は回転軸のまわりのみで回転できる構成であり、このような構成は、スライドレールアセンブリの狭い内部空間（横方向の空間）内での可動部材と他の部品との間の相互作用にとって好ましくない。
【０００５】
本発明は、スライドレールアセンブリの薄型化デザインのために横方向に可動な（transversely  movable）部品を有するスライドレールアセンブリを提供する。
【課題を解決するための手段】
【０００６】
本発明の一実施形態によれば、スライドレールアセンブリは第１のレール、第２のレール、第３のレール、機能部材及び可動部材を含む。第１のレールは第３のレールと第２のレールとの間に可動に取り付けられる。機能部材は第３のレールに配置される。可動部材は第１のレールに可動に配置されるとともに、第１のレールが第３のレールに対して長手方向に移動する間に機能部材と相互作用するように構成されている。可動部材は横方向に可動であるとともに第３のレールの方に弾性的に延びる係合区画を含む。
【０００７】
様々な図面に図示する下記の好ましい実施形態の詳細な説明を読み終えた後、本発明の上記の目的及び他の目的が当業者に間違いなく明らかになる。
【図面の簡単な説明】
【０００８】
【図１】図１は、本発明の一実施形態に係るスライドレールアセンブリを示す図である。
【図２】図２は、本発明の一実施形態に係るスライドレールアセンブリの分解図である。
【図３】図３は、本発明の一実施形態に係る、第１の視角からのスライドレールアセンブリの第１のレールを示す図である。
【図４】図４は、本発明の一実施形態に係る、第１の視角からのスライドレールアセンブリの第１のレール及び関連部品の分解図である。
【図５】図５は、本発明の一実施形態に係る、第１の視角からのスライドレールアセンブリの第１のレール及び関連部品の分解図である。
【図６】図６は、本発明の一実施形態に係る、引っ込められた状態にあるスライドレールアセンブリを示す図である。
【図７】図７は、図６の領域Ａの拡大図である。
【図８】図８は、本発明の実施形態に係る、第１の方向に沿って第３のレールに対して同期的に動かされたスライドレールアセンブリの第１のレール及び第２のレールを示す図である。
【図９】図９は、図８の領域Ａの拡大図である。
【図１０】図１０は、本発明の一実施形態に係る、第１の方向に沿って第３のレールに対してさらに動かされたスライドレールアセンブリの第１のレール及び第２のレールを示す図である。
【図１１】図１１は、図１０の領域Ａの拡大図である。
【図１２】図１２は、本発明の一実施形態に係る、第３のレールに対して開位置に位置するスライドレールアセンブリの第１のレールを示し、第２のレールは第１の方向に沿って第１のレールに対して動かされている。
【図１３】図１３は、本発明の一実施形態に係る、第３のレールに対して開位置に位置するスライドレールアセンブリの第１のレールを示し、第２のレールは第１の方向に沿って第１のレールに対してさらに動かされている。
【図１４】図１４は、図１３の領域Ａの拡大図である。
【図１５】図１５は、図１３の領域Ｂの拡大図である。
【図１６】図１６は、本発明の一実施形態に係る、第３のレールに対して開位置に位置するスライドレールアセンブリの第１のレールを示し、第２のレールは第１の方向に沿って第１のレールに対してさらに動かされている。
【図１７】図１７は、図１６の領域Ａの拡大図である。
【図１８】図１８は、図１６の領域Ｂの拡大図である。
【図１９】図１９は、本発明の一実施形態に係る、伸長状態にあるスライドレールアセンブリを示す図である。
【図２０】図２０は、本発明の一実施形態に係る、第３のレールに対して開位置に位置するスライドレールアセンブリの第１のレールを示し、第２のレールは第１の方向に沿って第１のレールに対して伸長位置から動かされている。
【図２１】図２１は、本発明の一実施形態に係る、第３のレールに対して開位置に位置するスライドレールアセンブリの第１のレールを示し、第２のレールは第１の方向に沿って第１のレールから取り外されている。
【図２２】図２２は、図２１の領域Ａの拡大図である。
【図２３】図２３は、本発明の一実施形態に係る、第３のレールに対して開位置に位置するスライドレールアセンブリの第１のレールを示し、第２のレールは第２の方向に沿って第１のレールの通路内に取り付けられている。
【図２４】図２４は、図２３の領域Ａの拡大図である。
【図２５】図２５は、本発明の一実施形態に係る、第１の位置に位置する第１のレールのブロック部材を示す図である。
【図２６】図２６は、本発明の一実施形態に係る、ブロック部材を第１の位置で保持するためにブロック部材に弾性力を提供する弾性部材を示す図である。
【図２７】図２７は、本発明の一実施形態に係る、第２の位置に位置する第１のレールのブロック部材を示す図である。
【図２８】図２８は、本発明の一実施形態に係る、第１のレールのブロック部材が第２の位置に位置することに対応して弾性力を蓄積する弾性部材を示す図である。
【図２９】図２９は、本発明の一実施形態に係る、第１の方向に沿って引っ込め位置から第１のレールに対して動かされたスライドレールアセンブリの第２のレールを示し、操作部材は第１の位置にあるブロック部材に隣接している。
【図３０】図３０は、図２９の領域Ａの拡大図である。
【図３１】図３１は、本発明の一実施形態に係る、第１の方向に沿って第１のレールに対してさらに動かされたスライドレールアセンブリの第２のレールを示し、操作部材は、ブロック部材を第２の位置で保持するためにブロック部材を押圧するように構成されている。
【図３２】図３２は、図３１の領域Ａの拡大図である。
【図３３】図３３は、本発明の一実施形態に係る、第１のレールに対して伸長位置に位置するスライドレールアセンブリの第２のレールを示す図である。
【図３４】図３４は、図３３の領域Ａの拡大図である。
【図３５】図３５は、本発明の一実施形態に係る、第３のレールの機能部材と係合するように構成されたスライドレールアセンブリの第１レールの可動部材を示す図で
【図３６】図３６は、本発明の一実施形態に係る、第３のレールに向かって弾性的に延びたスライドレールアセンブリの第１のレールの可動部材の一部を示す図である。
【発明を実施するための形態】
【０００９】
図１及び図２に示すように、スライドレールアセンブリは、第１のレール２２（例えば中間レール）、第２のレール２４（例えば内側レール）及びブロック部材２６を含む。スライドレールアセンブリは、第３のレール２８（例えば外側レール）をさらに含むことが好ましい。
【００１０】
第３のレール２８は、第１の壁３０ａ、第２の壁３０ｂ及び第３のレール２８の第１の壁３０ａと第２の壁３０ｂとの間に接続される長手壁３２とを含む。第３のレール２８の第１の壁３０ａ、第２の壁３０ｂ及び長手壁３２により通路が定義され、第１のレール２２を収容するように構成されている。スライドレールアセンブリは、第３のレール２８と第１のレール２２との間に可動に取り付けられるとともに、第３のレール２８と第１のレール２２との間の相対移動の滑らかさを改善するように構成された少なくとも１つの摺動支援キット３４をさらに含むことが好ましい。摺動支援キット３４は、第３のレール２８及び第１のレール２２と回転接触する複数の摺動支援部材３４ａを含む。第３のレール２８の長手壁３２に機能部材３６が設けられ、第１のレール２２に可動部材３８が設けられることが好ましい。可動部材３８は、第１のレール２２の端部（例えば後端部）に隣接して位置することが好ましい。可動部材３８は機能部材３６と相互作用するように構成されている。機能部材３６はガイド構造４０及び位置決め部４２を含む。ガイド構造４０は傾斜面又は弧面を有し、位置決め部４２は溝又は凹部を有することが好ましい。他方、可動部材３８はシャフト部材３９を介して第１のレール２２に枢結され、可動部材３８は弾性脚３８ａ及び同期構造３８ｂを含む。
【００１１】
第１のレール２２は、第３のレール２８と第２のレール２４との間に可動に取り付けられ、第１のレール２２は第３のレール２８に対して長手方向に移動可能である。第１のレール２２は、第１の壁４４ａ、第２の壁４４ｂ及び第１のレール２２の第１の壁４４ａと第２の壁４４ｂとの間に接続された長手壁４６を含む。第１のレール２２の第１の壁４４ａ、第２の壁４４ｂ及び長手壁４６により通路が定義され、第２のレール２４を収容するように構成されている。
【００１２】
ブロック部材２６は第１のレール２２に可動に配置される。ブロック部材２６は、第１のレール２２の他端部（例えば前端部）に隣接して位置することが好ましい。
【００１３】
第２のレール２４は、第１のレール２２に対して長手方向に可動である。第２のレール２４は、第１の壁４８ａ、第２の壁４８ｂ及び第２のレール２４の第１の壁４８ａと第２の壁４８ｂとの間に接続された長手壁５０を含むことが好ましい。
【００１４】
スライドレールアセンブリは、第１の作用部材５２、第２の作用部材５４及びベース５６をさらに含むことが好ましい。
【００１５】
第１の作用部材５２と第２の作用部材５４との間で、長手方向に空間Ｓが定義されている。第１の作用部材５２は、第２のレール２４に可動に取り付けられている。本実施形態では、第１の作用部材５２は、第１の取り付け部材５８を介して第２のレール２４の長手壁５０に枢結されている。他方、第２の作用部材５４は第２のレール２４に可動に取り付けられている。本実施形態では、第２の作用部材５４は、第２の取り付け部材６０を介して第２のレール２４の長手壁５０に枢結されている。ベース５６は、第１の作用部材５２及び第２の作用部材５４を第１の作用状態で保持するために、第１の作用部材５２及び第２の作用部材５４にそれぞれ弾性力を与えるように構成された第１の弾性部５６ａ及び第２の弾性部５６ｂを含む。
【００１６】
スライドレールアセンブリは、第１の作用部材５２及び第２の作用部材５４にそれぞれ接続された第１の操作部材６２及び第２の操作部材６４をさらに含むことが好ましい。
【００１７】
第１のレール２２は、第１のレール２２の前端部に隣接して位置する係合部６６を備える。本実施形態では、係合部６６は接続部材６８に形成され、接続部材６８は、少なくとも１つの締結部材６９を介して第１のレール２２の長手壁４６に固定される。係合部６６は、第１のレール２２の長手壁４６から横に（横方向に）突出している。しかしながら、他の実施形態では、係合部６６は第１のレール２２の長手壁４６に一体的に形成できる。本発明はこのような構成に限定されない。
【００１８】
スライドレールアセンブリは、第１のレール２２と第２のレール２４との間に可動に取り付けられるとともに、第１のレール２２と第２のレール２４との相対移動の滑らかさを改善するように構成された摺動支援装置７０をさらに含むことが好ましい。摺動支援装置７０は、本体７２、複数の摺動支援部材７４及び締結部材７６を含む。複数の摺動支援部材７４は本体７２に配置され、第１のレール２２及び第２のレール２４と回転接触するように構成されている。締結部材７６は、摺動支援装置７０の本体７２に可動に取り付けられている。
【００１９】
締結部材７６は弾性部位７８を有することが好ましい。弾性部位７８は弾性アーム又はバネであってもよいが、本発明はこのような構成に限定されない。弾性部位７８は、締結部材７６を第１の所定の状態で保持するために、締結部材７６に弾性力を提供するように構成されている。
【００２０】
図３、図４及び図５に示すように、スライドレールアセンブリは、ブロック部材２６に弾性力を提供するように構成された弾性部材８０をさらに含む。第１のレール２２の長手壁４６は、第１の側２３ａと、第１の側２３ａと反対の第２の側２３ｂを有することが好ましい。第１のレール２２の長手壁４６の第１の側２３ａは第２のレール２４に近く、第１のレール２２の長手壁４６の第2の側２３ｂは第３のレール２８に近い。第１のレール２２は、第１のレール２２の第１の側２３ａ及び第２の側２３ｂと連通する開口Ｈを有する。さらに、ブロック部材２６は、開口Ｈに対応する位置に位置する。ブロック部材２６は、本体２６ａ及びブロック部２６ｂを含む。ブロック部２６ｂは本体２６ａから屈曲されている。ブロック部２６ｂは本体２６ａに実質的に垂直に接続され、ブロック部２６ｂは、第１のレール２２の長手壁４６に対して、第１のレール２２の長手壁４６の第１の側２３ａに向かって横に（横方向に）突出する。
【００２１】
第１のレール２２の開口Ｈは複数の壁、例えば第１の当接壁８２ａ及び第２の当接壁８２ｂによって囲まれていることが好ましい。第１の当接壁８２ａ及び第２の当接壁８２ｂは、ブロック部材２６を所定の取り付け位置で保持するために、ブロック部材２６を支持するように構成されている。
【００２２】
接続部材６８及び弾性部材８０は、第１のレール２２の長手壁４６の第１の側2３ａ及び第２の側２３ｂにそれぞれ配置される。弾性部材８０は、開口Ｈに対応する位置に弾性区画８０ａを有する。ブロック部材２６の本体２６ａは、接続部材６８と弾性部材８０の弾性区画８０ａとの間に挟まれていることが好ましい。弾性部材８０の弾性区画８０ａは、ブロック部材２６のブロック部２６ｂが第１のレール２２の長手壁４６の第１の側２３ａの方に延びるように保持するために、ブロック部材２６に弾性力を提供するように構成されている。
【００２３】
締結部材７６は、ピン部材８４を介して摺動支援装置７０の本体７２に枢結されることが好ましい。締結部材７６は締結区画８６をさらに含み、ピン部材８４は、締結区画８６と弾性部位７８との間に位置することが好ましい。弾性部位７８は、摺動支援装置７０の本体７２の支持構造８８に当接するように構成されている。支持構造８８は突起又は壁であり得るが、本発明はこのような構成に限定されない。
【００２４】
第１のレール２２は、第１のレール２２の第１の側２３ａ及び第２の側２３ｂと連通する第１の孔９１と、第１のレール２２の第１の側２３ａ及び第２の側２３ｂと連通する第２の孔９２とをさらに有する。さらに、可動部材３８は、（図５に示すように）第１のレール２２の長手壁４６の第２の側２３ｂに配置され、可動部材３８の弾性脚３８ａ及び同期構造３８ｂは、第１の孔９１及び第２の孔９２にそれぞれ対応する位置に位置する。可動部材３８の弾性脚３８ａは、第１の孔９１の内壁Ｗに当接するように構成され、可動部材３８の同期構造３８ｂは、（図３及び図４に示すように）第１のレール２２の長手壁４６の第１の側２３ａに延びるよう第２の孔９２を通過するように構成されている。可動部材３８は、（図５に示すように）係合区画９４をさらに含み、シャフト部材３９は、係合区画９４と同期構造３８ｂとの間に位置する。
【００２５】
図６及び図７に示すように、スライドレールアセンブリは引っ込められた状態にある。第１のレール２２は、第３のレール２８に対して引っ込められ、第２のレール２４は第１のレール２２に対して引っ込め位置Ｒに位置する。さらに、第１の作用部材５２、第２の作用部材５４、ベース５６、第１の作用部材６２及び第２の操作部材６４は図６で省略されている。
【００２６】
ブロック部材２６は、第１のレール２２の前端部に隣接して位置する。締結部材７６は係合部６６から離間されている。締結部材７６の弾性部位７８は、摺動支援装置７０の支持構造８８に当接するように構成され、締結部材７６は、弾性部位７８の弾性力により第１の所定の状態Ｘ１で保持できる。摺動支援装置７０は、（図７に示すように）第１の制限部９６ａ及び第２の制限部９６ｂをさらに含むことが好ましい。他方、締結部材７６は接触部９８をさらに含む。接触部９８は突起又は延長脚であり得るが、本発明はこのような構成に限定されない。締結部材７６の接触部９８は、締結部材７６が摺動支援装置７０に対して限られた範囲内で回転させることができるように第１の制限部９６ａと第２の制限部９６ｂとの間に位置する。
【００２７】
可動部材３８は機能部材３６から離間されている。可動部材３８は、初期状態Ｙ１で保持されるように、弾性脚３８ａを介して第１のレール２２の内壁Ｗに当接するように構成されている。第２のレール２４は補助部１００を有する。補助部１００は突起であり得るが、本発明はそのような構成に限定されない。可動部材３８が初期状態Ｙ１にある場合、第２のレール２４の補助部１００は、可動部材３８と相互作用するように構成されている。
【００２８】
図８及び図９に示すように、第２のレール２４が第１のレール２２に対して引っ込め位置Ｒから第１の方向Ｄ１に沿って動かされると、第２のレール２４は、第２のレール２４が、第１のレール２２を駆動して第１の方向Ｄ１に沿って同期的に動かすことができるように初期状態Ｙ１にある可動部材３８の同期構造３８ｂと補助部１００を介して当接する。第１のレール２２及び第２のレール２４が所定の位置に同期的に動かされると、可動部材３８の係合区画９４は第３のレール２８の機能部材３６のガイド構造４０と接触するように構成されている。
【００２９】
図１０及び図１１に示すように、第２のレール２４及び第１のレール２２が第３のレール２８に対して第１の方向Ｄ１に沿って所定の距離同期的に動かされると、機能部材３６のガイド構造４０は、第２のレール２４と第１のレール２２との間の同期関係を解消するように構成されている。
【００３０】
さらに、可動部材３８の係合区画９４が第３のレール２８の機能部材３６のガイド構造４０に接触すると作動力が生成され、可動部材３８は、係る作動力に反応して初期状態Ｙ１から非初期状態Ｙ２に回転される。一方、第２のレール２４と第１のレール２２との間の同期関係を解消するために、第２のレール２４の補助部１００と可動部材３８の同期構造３８ｂとは互いに離間されている。加えて、可動部材３８が非初期状態Ｙ２にある場合、弾性脚３８ａは弾性力を蓄積する。
【００３１】
図１２に示すように、第１のレール２２が第３のレール２８に対して第１の方向Ｄ１に沿って開位置Ｋに動かされると、可動部材３８は弾性脚３８ａの弾性力に反応して非初期状態Ｙ２から初期状態Ｙ１に戻るため、第１のレール２２を開位置Ｋで保持し、第１のレール２２が第１の方向Ｄ１に沿って又は第１の方向Ｄ１と反対の第２の方向Ｄ２に沿って開位置Ｋから動くのを防止するために可動部材３８の係合区画９４が機能部材３６の位置決め部４２と係合する。
【００３２】
図１３、図１４及び図１５に示すように、第１のレール２２が第３のレール２８に対して開位置Ｋに位置する場合、第２のレール２４は、第１のレール２２に対して第１の方向Ｄ１に沿ってさらに動かすことができる。さらに、第２のレール２４が第１のレール２２に対して第１の方向Ｄ１に沿って動かされると、摺動支援装置７０も第１の方向Ｄ１に沿って動かすことができる。締結部材７６は、（図１４に示すように）弾性部位７８の弾性力により第１の所定の状態Ｘ１で保持することができる。加えて、第１の作用部材５２及び第２の作用部材５４は、第１の弾性部５６ａ及び第２の弾性部５６ｂの弾性力にそれぞれ対応して、第１の作用状態Ｓ１で保持されるように構成されている。さらに、第１のレール２２に対して第１の方向Ｄ１に沿って第２のレール２４を動かす過程の間に、第２のレール２４の第２の作用部材５４は、（図１５に示すように)第１のレール２２のブロック部材２６のブロック部２６ｂの第１の端部２７ａと接触して作用力を生成するように構成されている。
【００３３】
加えて、図１３及び図１４に示すように、締結部材７６は、ピン部材８４と締結区画８６との間に位置する補助構造をさらに含み、補助構造は、両側に第1のガイド区画８７ａ及び第２のガイド区画８７ｂを有する。第１のガイド区画８７ａ及び第２のガイド区画８７ｂのそれぞれは傾斜面又は弧面を有する。他方、ベース５６は第１の接触部５７及び第２の接触部５９をさらに含む。第１の接触部５７及び第２の接触部５９のそれぞれは、傾斜面又は弧面を有し、第１の接触部５７及び第２の接触部５９は、それぞれ第１のガイド区画８７ａ及び第２のガイド区画８７ｂと相互作用するように構成されている。そのため、第２のレール２４を第１のレール２２に対して第１の方向Ｄ１又は第１の方向Ｄ１と反対の第２の方向Ｄ２に沿って動かす過程の間、ベース５６は締結部材７６を容易に横切ることができる。さらに、第２のレール２４を第１のレール２２に対して第１の方向Ｄ１に沿って動かす過程の間、摺動支援装置７０も第１の方向Ｄ１に沿って動かされる。締結部材７６は、弾性部位７８の弾性力によって第１の所定の状態Ｘ１で保持され、締結部材７６の第２のガイド区画８７ｂは、ベース５６の第２の接触部５９と接触するように構成されている。
【００３４】
図１６、図１７、及び図１８に示すように、第１のレール２２に対して第１の方向Ｄ１に沿って第２のレール２４を動かす過程の間、第２のレール２４の第２の作用部材５４は、第２のレール２４の第２の作用部材５４が第１のレール２２のブロック部材２６に接触することによって生成される作用力により、第１の作用状態Ｓ１でなくなるように回転されるため（例えば、第１の作用状態Ｓ１から第２の作用状態Ｓ２への切り替え）、第２の作用部材５４はブロック部材２６の第１の端部２７ａを横断できる。一方、第２の弾性部５６ｂは、（図１８に示すように）弾性力を蓄積する。他方、第１の作用部材５２は、（図１7に示すように)第１の弾性部５６ａの弾性力に対応して第１の作用状態Ｓ１にある。
【００３５】
さらに、図１６及び図１７に示すように、第２のレール２４を第１のレール２２に対して第１の方向Ｄ１に沿ってさらに動かす過程の間、摺動支援装置７０も第１の方向Ｄ１に沿って動かされる。締結部材７６は、第２のガイド区画８７ｂを介してベース５６の第２の接触部５９と接触して作用力を生成する。そのため、締結部材７６が回転されて第１の所定の状態Ｘ１から第２の所定の状態Ｘ２に切り替わる。さらに、ベース５６の長手区画６１は、締結部材７６を第２の所定の状態Ｘ２で一時的に保持するために締結部材７６の補助構造に当接するように構成されている。一方、締結部材７６の弾性部位７８は弾性力を蓄積する。
【００３６】
図１９に示すように、第２のレール２４が第１のレール２２に対して第１の方向Ｄ１に沿って伸長位置Ｅにさらに動かされると、第２のレール２４はブロック部材２６によりブロックされる。
【００３７】
例えば、第２のレール２４が伸長位置Ｅに動かされると、第２の作用部材５４は、第２の弾性部５６ｂの弾性力に反応して、第２の作用状態Ｓ２から第１の作用状態Ｓ１に戻る。一方、第２の作用部材５４は、ブロック部材２６の第２の端部２７ｂに隣接して位置する。他方、第１の作用部材５２は第１の作用状態Ｓ１にあり、ブロック部材２６の第１の端部２７ａに隣接して位置する。すなわち、第１の作用部材５２及び第２の作用部材５４は、ブロック部材２６の両端にそれぞれ隣接して位置する。このような構成によれば、第２のレール２４は、第２のレールが第１の方向Ｄ１に沿って伸長位置Ｅから動くのを防止するために、第１の作用状態Ｓ１にある第１の作用部材５２を介してブロック部材２６の第１の端部２７ａによりブロックされるように構成され、第２のレール２４は伸長位置Ｅから第２の方向Ｄ２に沿って動くのを防止するために、第１の作用状態Ｓ１にある第２の作用部材５４を介してブロック部材２６の第２の端部２７ｂによりブロックされるように構成されている。一方、スライドレールアセンブリは伸長状態にある（例えば完全伸長状態（本発明はこのような構成に限定されない））。第１の操作部材６２及び第２の操作部材６４は、第１の作用部材５２及び第２の作用部材５４をそれぞれ第１の作用状態Ｓ１から第２の作用状態Ｓ２に切り替えるために操作されるように構成されている。
【００３８】
図１９に示すように、第２のレール２４が第１のレール２２に対して第１の方向Ｄ１に沿って伸長位置Ｅにさらに動かされると、摺動支援装置７０も第１の方向Ｄ１に沿ってさらに動かされ、第２の所定の状態Ｘ２にある締結部材７６の締結区画８６と第１のレール２２の係合部６とは互いに離間している。
【００３９】
図１９及び図２０に示すように、ユーザーが第２のレール２４を第１のレール２２に対して第１の方向Ｄ１に沿って伸長位置Ｅから動かす場合、ユーザーは、（図２０に示すように）第１の操作部材６２に操作力Ｆを加えて第１の操作部材６２の駆動部６２ａを駆動して第１の作用部材５２を第１の動作状態Ｓ１から第２の動作状態Ｓ２に切り替えることができるため、第２のレール２４は、ブロック部材２６のブロック部２６ｂの第１の端部２７ａによりもはやブロックされず、第２のレール２４は、第１の方向Ｄ１に沿って伸長位置Ｅからさらに動かすことができる。
【００４０】
さらに、図２０に示すように、第２のレール２４が第１のレール２２に対して伸長位置Ｅから第１の方向Ｄ１に沿って動かされると、摺動支援装置７０も第１の方向Ｄ１に沿って動き、第２の所定の状態Ｘ２にある締結部材７６の締結区画８６は第１のレール２２の係合部６６を横切ることができる。
【００４１】
図２１及び図２２に示すように、第２のレール２４が第１の方向Ｄ１に沿って伸長位置Ｅから動かされると、第２のレール２４を第１のレール２２の通路から外すことができる。第２のレール２４を第１のレール２２に対して第１の方向Ｄ１に沿って伸長位置Ｅから動かす過程の間、摺動支援装置７０も第１の方向Ｄ１に沿って動かされ、ベース５６の長手区画61は締結部材７６の補助構造ともはや当接していない。そのため、締結部材７６は、締結部材７６の締結区画８６が第１のレール２２の係合部６６と係合することができるよう弾性部位７８の弾性力に対応して第１の所定の状態Ｘ１に戻るように構成されている。第１のレール２２の係合部６６は、締結部材７６の締結区画８６と補助構造との間に位置することが好ましい。このような構成によれば、摺動支援装置７０をこのような位置で一時的に保持することができる。
【００４２】
図２３及び図２４に示すように、第２のレール２４を第１のレール２２から外した後（図２１を参照されたい)、第２のレール２４は、第２のレール２４を第１のレール２２の通路に取り付けるために第２の方向Ｄ２に沿って動かされる過程の間に、ガイド部を介して第１のレール２２の係合部６６から締結部材７６が外れるよう駆動するように構成されている。具体的には、ベース５６の第２の接触部５９をガイド部として用いられる。第２のレール２４は、ベース５６の第２の接触部５９を介して締結部材７６の第２のガイド区画８７ｂを押圧して、締結部材７６が第１の所定の状態Ｘ１でなくなるように移動させ(すなわち、締結部材７６を第１の所定の状態Ｘ１でなくなるように動かす（即ち、締結部材７６が第１の所定の状態Ｘ１から第２の所定の状態Ｘ２に切り替えられる）。そのため、締結部材７６を第１のレール２２の係合部６６から外して、摺動支援装置７０を第２のレール２４と共に第２の方向Ｄ２に沿って動かすことができる。
【００４３】
図２５及び図２６に示すように、ブロック部材２６は、弾性部材８０の弾性力を通じて第１の位置Ｐ１で保持されるように構成されている。接続部材６８は、（図２５に示すように）第１のレール２２の長手壁４６の第１の側２３ａに配置され、弾性部材８０は、（図２６に示すように）第１のレール２２の長手壁４６の第２の側２３ｂに配置されている。ブロック部材２６の本体２６ａは、接続部材６８と弾性部材８０の弾性部８０ａとの間に挟まれていることが好ましい。ブロック部材２６は、弾性部材８０の弾性部８０ａの弾性力を通じて第１の位置Ｐ１で保持されるように構成されている。
【００４４】
図２７及び図２８に示すように、ブロック部材２６は第１のレール２２に対して可動である。例えば、力Ｍがブロック部材２６に加えられた場合、ブロック部材２６は、（図２７に示すように）第１の位置Ｐ１から第２の位置Ｐ２に距離Ｇ横(横方向)に動かされる。一方、弾性部材８０の弾性部８０ａは、（図２８に示すように)わずかに変形して弾性力を蓄積する。
【００４５】
図２９〜図３２に示すように、第２の操作部材６４は第１の押圧部６４ａ及び第２の押圧部６４ｂを含む。第１の押圧部６４ａ及び第２の押圧部６４ｂのそれぞれは傾斜面又は弧面を有し、第１の押圧部６４ａ及び第２の押圧部６４ｂは、第２の操作部材６４の両端にそれぞれ配置されることが好ましい。
【００４６】
さらに、第２のレール２４を第１のレール２２に対して引っ込め位置Ｒから第１の方向Ｄ１に沿って動かす過程の間、第２の操作部材６４は第１の押圧部６４ａを介してブロック部材２６を押圧して力Ｍを加えてブロック部材２６を（図３０に示す）第１の位置Ｐ１から（図３２に示す）第２の位置Ｐ２に動かすように構成される。一方、弾性部材８０の弾性区画８０ａは弾性変形して弾性力を蓄積する。
【００４７】
図３３及び図３４に示すように、第２のレール２４が第１のレール２２に対して第１の方向Ｄ１に沿って伸長位置Ｅに動かされると、第１の作用部材５２及び第２の作用部材５４は、ブロック部材２６の両端にそれぞれ隣接して位置する(図１９を参照されたい)。一方、ブロック部材２６のブロック部２６ｂは、弾性部材８０の弾性区画８０ａの弾性力に対応してブロック部材26が第１の位置Ｐ１に戻るように第１の作用部材５２と第２の作用部材５４との間に定義された空間Ｓに対応する位置に位置する。
【００４８】
さらに、弾性部材８０は、ブロック部材２６を第２のレール２４の長手壁５０に向かって横方向に押圧するためにブロック部材２６に弾性力を提供する。このような構成によれば、ブロック部材２６は横方向に持ち上げられ、弾性部材８０の弾性力によって第１の位置で保持することができる。そのため、ブロック部材２６は、可能な限り第２のレール２４の長手壁５０に近い横方向高さＴ１を有することができる（例えば、第１の位置Ｐ１におけるブロック部材２６の横方向高さＴ１は、作用部材５２又は５４の厚さＴ２の１．５倍大きいが、本発明はそのような構成に限定されない。ブロック部材２６は、弾性部材８０の弾性力を介して可能な限り第２のレール２４の長手壁５０の近くにあることが必要である）。従って、第１のレール２２に対して伸長位置Ｅで第２のレール２４を保持するのを支援するために、第１の作用部材５２と第２の作用部材５４との間でブロック部材２６のブロック部２６ｂが係合される信頼性を改善できる。加えて、スライドレールアセンブリの第１のレール２２の長手壁４６と第２のレール２４の長手壁５０との間に限定された横方向の空間が定義されることにより、第１のレール２２のブロック部材２６が第２のレール２４の長手壁５０に可能な限り近くにあることを助けることができるため、ブロック部材２６はより効果的に第１の作用部材５２と第２の作用部材５４との間に係合することができる。
【００４９】
図３５及び図３６に示すように、可動部材３８は、可動部材３８の係合区画９４を機能部材３６の位置決め部４２に係合させるために、弾性脚３８ａにより放たれる弾性力に対応して初期状態Ｙ１にある（図１２を参照されたい）。さらに、可動部材３８は可撓性材料で作ることができ、可動部材３８の係合区画９４は、第３のレール２８の長手壁３２に向かって弾性的に延びる。可動部材３８は、第３のレール２８の長手壁３２の方に傾斜した可撓性アーム９３を有し、係合区画９４は可撓性アーム９３に設けられることが好ましい。可動部材３８の係合区画９４は、可動部材３８の係合区画９４と機能部材３６の位置決め部４２との間の係合の信頼性を改善するために、可撓性アーム９３の支援によって第３のレール２８の長手壁３２の近くにあるか又は取り付けられるように構成されている。即ち、可動部材３８は横方向に可動である。加えて、スライドレールアセンブリの第１のレール２２の長手壁４６と第３のレール２８の長手壁３２との間に限定された横方向空間が定義されることで、第１のレール２２の可動部材３８の係合区画９４が第３のレール２８の長手壁３２に可能な限り近づくのを助けることができるため、可動部材３８の係合区画９４はより効果的に機能部材３６の位置決め部４２と係合することができる。さらに、機能部材３６は、図３６では省略されている。
【００５０】
従って、本発明の実施形態に係るスライドレールアセンブリは以下のように特徴付けることができる。
【００５１】
１）可動部材３８の係合区画９４は、係合区画９４と機能部材３６の位置決め部４２との係合の信頼性を改善するために第３のレール２８の長手壁３２に向かって弾性的に延びるように構成されている。
【００５２】
２）摺動支援装置７０は締結部材７６を介して第１のレール２２の係合部６６に係合できる。そのため、摺動支援装置７０を１つの位置で保持することができる。締結部材７６は摺動支援装置７０に可動に取り付けられる。
【００５３】
３）ブロック部材２６は第１のレール２２（例えば中間レール）に可動に配置される。第２のレール２４が第１のレールに対して引っ込め位置Ｒから伸長位置Ｅに第１の方向Ｄ１に沿って動かされた場合、第２のレール２４はブロック部材２６によりブロックされる。そのような構成は市場の様々な要求を満たすことができる。
【００５４】
４）弾性部材８０の弾性力により、ブロック部材２６は可能な限り第２のレール２４に近づくように大きな横方向高さＴ１を有することができる。それにより、ブロック部材２６が第１の作用部材５２と第２の作用部材５４との間に係合する信頼性を改善して第２のレール２４を第１のレール２２に対して伸長位置Ｅで保持するのを支援することができる。
【００５５】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００５６】
２２  第１のレール
２４  第２のレール
２６  ブロック部材
２８  第３のレール
３４  摺動支援キット
３６  機能部材
３８  可動部材
４０  ガイド構造
４２  位置決め部
５２  第１の作用部材
５４  第２の作用部材
５６  ベース
６２  第１の操作部材
６４  第２の操作部材
６６  係合部
７０  摺動支援装置
【図１】
0006920406.tif 000002
【図２】
0006920406.tif 000003
【図３】
0006920406.tif 000004
【図４】
0006920406.tif 000005
【図５】
0006920406.tif 000006
【図６】
0006920406.tif 000007
【図７】
0006920406.tif 000008
【図８】
0006920406.tif 000009
【図９】
0006920406.tif 000010
【図１０】
0006920406.tif 000011
【図１１】
0006920406.tif 000012
【図１２】
0006920406.tif 000013
【図１３】
0006920406.tif 000014
【図１４】
0006920406.tif 000015
【図１５】
0006920406.tif 000016
【図１６】
0006920406.tif 000017
【図１７】
0006920406.tif 000018
【図１８】
0006920406.tif 000019
【図１９】
0006920406.tif 000020
【図２０】
0006920406.tif 000021
【図２１】
0006920406.tif 000022
【図２２】
0006920406.tif 000023
【図２３】
0006920406.tif 000024
【図２４】
0006920406.tif 000025
【図２５】
0006920406.tif 000026
【図２６】
0006920406.tif 000027
【図２７】
0006920406.tif 000028
【図２８】
0006920406.tif 000029
【図２９】
0006920406.tif 000030
【図３０】
0006920406.tif 000031
【図３１】
0006920406.tif 000032
【図３２】
0006920406.tif 000033
【図３３】
0006920406.tif 000034
【図３４】
0006920406.tif 000035
【図３５】
0006920406.tif 000036
【図３６】
0006920406.tif 000037